(57)【要約】  本発明は、耐候性換気グリルであって、概して互いに平行であり且つ垂直でない一連の硬い棒（１００）であり、外側に方向付けられるように意図される概して垂直な第一前端（１１０）、及び、主要面（１１０）から離れて収束し、二つの隣接する棒（１００）の間に外側から内側に広がる経路を規定する二つの補助面、を有する棒（１００）、並びに、各棒（１００）の主要面（１１０）の基部にそれぞれ取り付けられる一連の偏向フィン（２００）であり、フィン（２００）が、偏向器を形成し、一つの棒（１００）からの主要面（１１０）の下端と下にある棒（１００）からの主要面（１１０）の上端とを分離する距離よりも大きな特定の高さを有するような方法で、フィン（２００）は、一つのフィン（２００）の自由端（２１０）が、下にある棒（１００）の主要面（１１０）の上端（１１２）と少なくとも同じ水平線上であるか或いは更に主要面に重なるような傾き及び高さで、主要面に対して外側に向かって傾けられている、フィン、を有する、グリルに関する。
2018537648.tif 000002
【特許請求の範囲】
【請求項１】
耐候性換気グリルであって：
−全体として互いに平行であり且つ垂直でない一連の硬い棒であり、外側に方向付けられるように意図される当該グリルの第一面に向かって方向付けられ、全体として当該グリルの平均面に平行であり、使用するために全体として垂直であるように意図される第一前端、及び、主要面から離れるにつれて収束し、外側に方向付けられるように意図される前記第一面から、内側に方向付けられるように意図される当該グリルの第二面の方向に広がる経路を二つの隣接する棒の間に規定する、二つの補助面、を有する、棒、並びに
−各棒の前記主要面の基部にそれぞれ取り付けられる一連の偏向フィンであり、前記フィンが、偏向器を形成し、一つの棒からの主要面の下端と下にある棒からの主要面の上端とを分離する距離よりも大きな特定の高さを有するように、前記フィンは、一つのフィンの自由端が、下にある棒の主要面の上端への当該グリルの前記平均面に対して直交する射影と少なくとも同じ線上であるか或いは更に前記主要面にまたがるような傾き及び高さに従って、前記主要面と比較して、外側に方向付けられるように意図される前記第一面に向かって傾けられている、フィン、
を有する、グリル。
【請求項２】
前記棒は、約１０°までの水平な長手中心軸に従って延びる、請求項１に記載のグリル。
【請求項３】
前記棒は、三角形の断面を有する、請求項１又は請求項２に記載のグリル。
【請求項４】
各棒の前記主要面は、平坦である、請求項１乃至３のいずれか一項に記載のグリル。
【請求項５】
前記棒の前記補助面は、平坦である、請求項１乃至４のいずれか一項に記載のグリル。
【請求項６】
前記棒は、二等辺三角形の形の、好ましくは正三角形の形の断面を有する、請求項１乃至５のいずれか一項に記載のグリル。
【請求項７】
各主要面の垂直高さと、二つの隣接する棒の間に規定される間隔の垂直高さとの間の比率は、０．５と２との間、好ましくは約１から±１０％まで程度である、請求項１乃至６のいずれか一項に記載のグリル。
【請求項８】
各棒の主要面の高さは、７０ｍｍよりも大きいか又は等しい、請求項１乃至７のいずれか一項に記載のグリル。
【請求項９】
各棒の主要面の高さは、７０ｍｍと８５ｍｍとの間であり、非常に有利には６０ｍｍと８０ｍｍとの間である、請求項１乃至８のいずれか一項に記載のグリル。
【請求項１０】
前記棒の前記補助面と水平面との間の傾きは、４０°よりも小さく、好ましくは３０°よりも小さく、非常に有利には２５°よりも小さい、請求項１乃至９のいずれか一項に記載のグリル。
【請求項１１】
二つの隣接する棒を分離する前記距離は、９０ｍｍよりも小さいか又は等しい、請求項１乃至１０のいずれか一項に記載のグリル。
【請求項１２】
二つの隣接する棒を分離する前記距離は、５０ｍｍと８５ｍｍとの間であり、非常に有利には６０ｍｍと８０ｍｍとの間である、請求項１乃至１１のいずれか一項に記載のグリル。
【請求項１３】
棒上のその連結端とその自由端との間とみなされる各フィンの幅Ｌ、各フィンと水平面との間の傾きβ、二つの隣接する棒の前記二つの補助面の間の内側の収束点を分離する距離ｄ、及び前記棒の各主要面の垂直高さｈ２は、（Ｌ  ｘ  ｓｉｎβ）＞＝（ｄ−ｈ２）の関係に従う、請求項１乃至１２のいずれか一項に記載のグリル。
【請求項１４】
前記フィンの少なくともいくつかは、固定された連結部によって関連する棒に接続されている、請求項１乃至１３のいずれか一項に記載のグリル。
【請求項１５】
前記フィンの少なくともいくつかは、関節型の連結部によって関連する棒に接続されている、請求項１乃至１３のいずれか一項に記載のグリル。
【請求項１６】
前記主要面の反対側の前記二つの補助面の間の連結部は、５ｍｍ、有利には３ｍｍより小さな曲率の最大半径を与える、棒の尖った内側端又は丸まった内側端を規定する、請求項１乃至１５のいずれか一項に記載のグリル。
【請求項１７】
各フィンと水平面との間の傾きは、５０°よりも小さく、好ましくは４５°よりも小さく、非常に有利には３０°よりも小さい、請求項１乃至１６のいずれか一項に記載のグリル。
【請求項１８】
前記棒及び前記フィンは、金属で形成されており、好ましくは鋼鉄で作られている、請求項１乃至１７のいずれか一項に記載のグリル。
【請求項１９】
鋼鉄で作られた前記フィンの厚さは、少なくとも０．８ｍｍと等しい、請求項１乃至１８のいずれか一項に記載のグリル。
【請求項２０】
前記棒は、フレーム支持部によって支えられている、請求項１乃至１９のいずれか一項に記載のグリル。
【請求項２１】
少なくとも一つの、請求項１乃至２０のいずれか一項に記載のグリルを有する建築物であって、前記グリルは：
−全体として互いに平行であり且つ垂直でない一連の硬い棒であり、外側に方向付けられる第一前端、及び、主要面から離れるにつれて収束し、外側から内側に広がる経路を二つの隣接する棒の間に規定する、二つの補助面、を有する、棒、並びに
−各棒の前記主要面の基部にそれぞれ取り付けられる一連の偏向フィンであり、前記フィンが、偏向器を形成し、一つの棒からの主要面の下端と下にある棒からの主要面の上端とを分離する距離よりも大きな特定の高さを有するように、前記フィンは、一つのフィンの自由端が、下にある棒の主要面の上端と少なくとも同じ水平線上であるか或いは更に前記主要面にまたがるような傾き及び高さに従って、前記主要面と比較して、外側に傾けられている、フィン、
を有する、
建築物。
【発明の詳細な説明】
【技術分野】
【０００１】
本発明は、換気グリル（grilles  de  ventilation）の分野に関する。
【０００２】
換気グリルは、空気の引き込み又は吹き出しによって、設備の換気を可能にし、悪天候、動物及び／又は投射物（projectiles）による侵入の危険、並びに過大圧力又は低気圧（depression）波から設備を保護するように設計される。
【背景技術】
【０００３】
特に、ただし非限定的に、例えば化学若しくは石油化学産業における生産現場、又は核生産現場のような、高度な安全性要求の対象となる施設の建築物は、多数の潜在的な外部の攻撃、及び特に以下のリスクから保護されなければならない：
・気象（雨、氷、霜、風、あられ又はひょう、強風．．．）、
・換気ダクトの中への投射物又は動物（鳥、特には）、
・圧力波、例えば外部の爆発の突風に起因する突然の過大圧力、又は更には竜巻／颶風若しくは類似のものによって引き起こされる低気圧。
【０００４】
もし建築物の外部の壁が、適当な大きさを条件として、現在の攻撃に対する有効な防御を構成するならば、これらの壁に作られる窓のような開口部、より具体的には換気ダクトの端部をふさぐ開口部は、上記の攻撃に直接的に曝され、専用の大きさを必要とする。
【０００５】
実際に、非限定的に：
‐流体による進入、典型的には液体状態の雨又は固体状態のあられ若しくはひょうは、例えば回路の腐食のような、ある範囲の損傷を引き起こし得る、
‐開口部を部分的又は完全に遮断することによって、氷は、特には負荷損失に起因して換気システムの能率を実施的に下げ得る、
‐過大圧力波は、内部の回路及び換気ユニットへの、並びに建築物内に収容される全設備への損傷を引き起こし得る、
‐竜巻の低気圧波は、過大圧力波に類似した影響を引き起こし得る。
【０００６】
後の方の両方の場合において、関連のある流体、空気又は他の気体の動きは、深刻な損傷を引き起こしやすい投射物を運び得る。
【０００７】
換気システムの第一の機能は、通常の動作として、建物の熱調節を確かにすることである。第二に、これらにシステムは、一組の分配回路内のこの空気の循環によって、建物内の空気の更新を実行しなければならない。これら二つの機能は、特には設備の適切な動作の保証であり、それ故に、特には核生産現場に関して安全に貢献し、次いでより少なく人の快適さに、又は更にはその完全性（無傷であること）に貢献する。
【０００８】
上文に記載された外部の攻撃に対する受け流しに貢献するように設計される装置は、システムの主な機能の品質を下げてはならない。
【０００９】
多くの種類の換気グリルが既に提案されてきたが、いずれも完全に満足できるものではない。
【００１０】
雨、動物による侵入及び氷の問題を処置するために、通気システムは、決まった場所に置かれてもよく、均一に配置されてもよく、保護されるべき建築物の内側の空間に雨が通らないような大きさ及び向きにされてもよい。可能であれば、内側の空間に鳥が入らないように、通気孔を離すことが構成される。装置の外側の寸法は、氷による装置の部分的な遮断が存在する場合でも、要求される空気流が確かにされるように概して規定される。
【００１１】
しかしながら通気システムは、高速度の投射物及び従って相当な運動エネルギーに対する有効な保護を提供しない。
【００１２】
したがって、時には通気孔をより硬い棒によって置き換えることが提案されてきた。
【００１３】
この解決策は、強い運動エネルギーをもつ投射物に対してより有効は保護を与える。棒の適切な配列を採用することは、動物による立ち入り、及び凍結の危険に対して保護することを更に可能にする。
【００１４】
雨の進入を制限するように棒の外形を向けることもまた、可能である。
【００１５】
然り、それらの形状に起因して、現在までに提案された棒は、流れを混乱させ、相当な負荷損失を作り出し、通常の動作として空気流を低下させる。
【００１６】
一つの解決策における以下の試みもまた、言及される：
・この解決策は高い費用を有し、また外部の爆発の問題を解決できないが、この態様において竜巻から保護するために、換気システムの空気流入グリルの前に緩衝装置防御を加えること。
【００１７】
・差圧伝送器によって制御される、換気ネットワークの速い遮断のための、原動機を備えた風戸（d’obturation）を埋め込むこと。この解決策は非常に高価であり、能動的な設備に基づく。また、ＰＧＥＷ（極値風によって生み出される投射物）投射物及び竜巻に対するこの設備の抵抗は、可能でない。
【００１８】
結論として、現在まで、いずれの解決策も、提出された全ての問題を有効に解決しておらず、特に、機械的で全ての投射物に対して有効な保護を提供せず、外部の圧力における急速な変化に関して信頼できる保護を確実にしない。
【００１９】
実際に、現在までに提案された装置は、例えば爆発又は颶風に由来しやすい、圧力における変動をほんのわずかだけ軽減する。
【００２０】
現在まで、換気システムの設計者は、従って、保護されるべき境界の領域内の設備及び施設の量を増やす以外の選択を有していなかった。
【００２１】
一つの結果として、実際に、添付の図１に例示される種類の保護装置は、このところしばしば使用され、全ての外部の攻撃を避けるための複数段階の複雑な層：雨防護グリル１０によって形成され、鳥の侵入も防止する外部の段階、投射物の侵入を防止するように意図される棒鋼１２によって形成される段階、霜よけ段階１４、高速閉鎖フラップによって構成される防爆フラップによって形成される段階１６、そして換気ダクトに接続される防竜巻分離風戸１８段階を有する。
【００２２】
しかしながら、そのような装置は、製造するためには複雑であり、多くの不利な点を有する：
・それらは、高価である、
・それらは、相当な負荷損失を生み出し、換気回路のいくつかの要素の大型化を概して要求する、そして
・それらの有効性は、特に防爆フラップに関して、常には実証されない。
【００２３】
独国特許発明第ＤＥ７５３４８３６号公報は、硬い棒及び偏向フィンを有する耐候性換気グリルの一つの例を記載する。
【００２４】
要するに、現今、全ての考えられる攻撃に有効に対処するための簡単な装置は存在しない。
【先行技術文献】
【特許文献】
【００２５】
【特許文献１】独国特許発明第ＤＥ７５３４８３６号公報
【発明の概要】
【発明が解決しようとする課題】
【００２６】
この文脈において、本発明の目的は、特には以下のような新規な換気グリルを提案することである：
‐通常の動作条件において空気流を容易にする、
‐付随的な圧力波面を分散させる、
‐内側の空間内の圧力における上昇を制限する。
【課題を解決するための手段】
【００２７】
上記の目的は、耐候性の換気グリルを通して本発明によって達成され、換気グリルは：
−全体として互いに平行であり且つ垂直でない一連の硬い棒であり、外側に方向付けられるように意図されるグリルの第一面（premier  cote）に向かって方向付けられ、全体としてグリルの平均面（plan  moyen）に平行であり、使用するために全体として垂直であるように意図される第一前端（premiere  face  d'attaque）、及び、主要面から離れるにつれて収束し、外側に方向付けられるように意図される第一面から、内側に方向付けられるように意図されるグリルの第二面の方向に広がる経路を二つの隣接する棒の間に規定する、二つの補助面、を有する、棒（barreaux）、並びに
−各棒の主要面の基部にそれぞれ取り付けられる一連の偏向（deflectrices）フィンであり、フィン（ailettes）が、偏向器を形成し、一つの棒からの主要面の下端と下にある棒からの主要面の上端とを分離する距離よりも大きな特定の高さを有するように、フィンは、一つのフィンの自由端が、下にある棒の主要面の上端へのグリルの平均面に対して直交する射影（projection  orthogonale）と少なくとも同じ線上であるか或いは更に主要面にまたがる（chevauche）ような傾き及び高さに従って（selon）、主要面と比較して、外側に方向付けられるように意図される第一面に向かって傾けられている、フィン、
を有する。
【００２８】
本発明の動作及び利点は、次に続く、以下の詳細な説明から明らかになるであろう。
【００２９】
本発明は、特には、以下の技術的効果のシナジーを提供する：
‐一方において、外側から内側に広がる経路を規定する棒の区分、及び従って棒によって内側に提示される端は、内側から外側への空気の引き込みに関しての負荷損失を制限し、同時に、外側から内側への入射する圧力波の一部分に関して、この波の影響を弱めることに適した、広がる要素を提示する、
‐他方では、棒の全体として垂直な主要面は、入射する波又は物体の他の一部分についての偏向器／反射器を形成する、
‐そしてまた、傾斜したフィンは、防雨堰（barrage）を形成するだけでなく、波及び入射する物体のうちのいくらかのための潜在的な偏向器としても働き、その上に入射波面を壊すために適した異なる方向に送り返すために主要面と協働する（主要面に衝突する水平波の一部分は水平に送り返され、同時にフィンに衝突する水平波の一部分はフィンに対して直角に、部分的に外側に且つ全体として上向きに送り返され、そしてもしフィンと水平面との間の傾きの角度が適合させられる、典型的には４５°よりも小さいならば、部分的に主要面に向かって送り返され、その後に主要面によって送り返される）。潜在的に同時に、過大圧力の場合に、変形によって棒の間の経路を閉じるために適した≪ゲート≫を形成し、フィンの高さは、二つの隣接する棒の間の間隔よりも大きい（この場合におけるフィンの下端は、下にある棒（barreau  sous-jacent）の上にもたれることができる）。
【００３０】
本発明はまた、先に規定されたような、本発明による少なくとも一つのグリルを有する建築物に関する。
【図面の簡単な説明】
【００３１】
本発明の他の特徴、目的及び利点は、以下の詳細な説明から、また非制限的な例として与えられる添付の図面に関して、明らかになるであろう。
【図１】先に記述された図１は、先行技術によるシステムの模式図を示す。
【図２】図２は、本発明による耐候性グリルの垂直断面による視野による部分図を示す。
【図３】図３乃至図８は、本発明の変形による棒の断面の垂直断面における図を示す。
【図４】図３乃至図８は、本発明の変形による棒の断面の垂直断面における図を示す。
【図５】図３乃至図８は、本発明の変形による棒の断面の垂直断面における図を示す。
【図６】図３乃至図８は、本発明の変形による棒の断面の垂直断面における図を示す。
【図７】図３乃至図８は、本発明の変形による棒の断面の垂直断面における図を示す。
【図８】図３乃至図８は、本発明の変形による棒の断面の垂直断面における図を示す。
【図９】図９は、本発明によるグリルによって引き起こされる負荷損失を、空気速度の関数として示す。
【図１０】図１０は、本発明によるグリルの後の残留圧力を、水平面に対する棒の補助面の角度の関数として示す。
【図１１】図１１は、本発明によるグリルによって引き起こされる負荷損失を、水平面に対する棒の補助面の角度の関数として示す。
【図１２】図１２は、本発明によるグリルの後の残留圧力を、棒の間の間隔の関数として示す。
【図１３】図１３は、本発明によるグリルによって引き起こされる負荷損失を、棒の間の間隔の関数として示す。
【図１４】図１４乃至図１６は、それぞれ、本発明によるグリルの二つの反対側の透視図及び部分断面図を示す。
【図１５】図１４乃至図１６は、それぞれ、本発明によるグリルの二つの反対側の透視図及び部分断面図を示す。
【図１６】図１４乃至図１６は、それぞれ、本発明によるグリルの二つの反対側の透視図及び部分断面図を示す。
【図１７】図１７及び図１８は、厳密に垂直ではない配列での、グリルの二つの移植変形例を示す。
【図１８】図１７及び図１８は、厳密に垂直ではない配列での、グリルの二つの移植変形例を示す。
【発明を実施するための形態】
【００３２】
本発明による耐候性換気グリルは、一連の棒１００及び偏向フィン２００の組み合わせによって形成される。
【００３３】
フィン２００は、各棒２００の基部に固定されている。
【００３４】
棒１００は、好ましくはフレーム３００の支柱３１０に固定される。しかしながら、変形例として、棒１００は、保護されるべき換気開口部の枠組みのレベルで直接的に建築物の構造物に対して実行可能な方法で固定されてもよい。
【００３５】
同じことがフィン２００に当てはまり、フィン２００は、フレーム３００の支柱３１０に固定されてもよい。しかしながら、変形例として、フィン２００を保護されるべき換気開口部の枠組みのレベルで直接的に建築物の構造物に固定する備えがなされてもよい。
【００３６】
好ましくは、本発明による換気グリルは、垂直位置で設置される。しかしながら、本発明によるグリルはまた、垂直に対してある一定の傾斜（フレームによって規定される平均面Ｍが垂直でない）をもって、例えば垂直に対して＋／−２０°の範囲内で、設置されてもよい。
【００３７】
本発明による耐候性グリルは、使用位置においてそれが占める垂直又は半垂直の位置を参照して、また図２に示される水平面Ｈ及び垂直面Ｖを参照して、以下に記述されるであろう。
【００３８】
棒１００は硬く、好ましくは金属で形成され、非常に好ましくは鋼鉄で作られる。
【００３９】
棒１００は、互いに平行であり、非垂直である。より正確には、棒１００は、好ましくは水平から約＋／−１０°である。他の言い方では、各棒１００は、おおよそ１０°で、使用するために水平である長手方向軸上の中心に置かれる。
【００４０】
棒１００の直線区分は、それらの全長にわたって一定である。全ての棒１００は、好ましくは同一の直線区分を有する。
【００４１】
図２において明らかであるように、棒１００は、好ましくは全体として三角形の直線区分を有する。
【００４２】
棒１００は、中実の物体によって形成されてもよく、又はそれらの隣接する端の領域において対で溶接された鋼鉄の三枚のシート又はストリップを組み立てることによって形成されてもよい。
【００４３】
棒１００は、第一前端１１０及び二つの補助面１２０，１３０を有する。
【００４４】
第一前端１１０は、水平端１１２の領域において上方の補助面１２０に取り付けられ、同様に水平端１１４の領域において下方の補助面１３０に取り付けられる。
【００４５】
二つの補助面１２０及び１３０は、共通の内部の、そして水平端１１６の領域において一緒に接合される。
【００４６】
二つの隣接する棒１００の端１１６を分離する距離は、添付の図２においてｄと参照符号を付けられている。
【００４７】
棒１００からの上端１１２と隣接する棒１００からの下端１１４を分離する距離は、添付の図２においてｈ１と参照符号を付けられている。
【００４８】
内側から外側への方向付けられた引き込み流と比較した負荷損失を制限するために、主要面１１０の反対側の二つの補助面１２０，１３０の間の連結部は、尖っているか又は丸まっており、５ｍｍ、有利には３ｍｍより小さな曲率の最大半径を与える、棒の内側端１１６を規定する。
【００４９】
第一前端１１０は、外側に方向付けられるように意図される。それは全体として垂直であり、その垂直の高さ（又は幅）は、添付の図２においてｈ２と参照符号を付けられている。
【００５０】
第一前端１１０は、それが受けるそれらの入射圧力波を、外側に反射する。
【００５１】
好ましくは、同じグリルの棒１００の全ての第一前端１１０は、同一平面上にあり、且つ垂直である。
【００５２】
二つの補助面１２０及び１３０は、主要面１１０から離れるにつれて収束する。このようにして、棒１００の直線区分は外側から内側に向かって減少する。二つの隣接する棒１００の各対の間に、二つの補助面１２０及び１３０は、外側から内側に広がり、且つ従って、比較すると、内側から外側に移動する空気流にとっては収束する経路１４０を規定する。経路１４０の区分の進展は、流れを崩壊させないように、また負荷損失を最適化するように、漸進的である、すなわち、突然の変化がない。
【００５３】
第一前端１１０は、図２、図３並びに図６乃至図８に示されるように、好ましくは平坦である。
【００５４】
しかし、それは図４に示されるように凸状に湾曲していてもよく、又は図５に示されるように凹状に湾曲していてもよい。
【００５５】
好ましくは、図３において明らかであるように、棒１００の直線区分は二等辺三角形であり、その二つの補助面１２０及び１３０は同一の幅を有する。更により正確には、図２において明らかであるように、棒１００の直線区分は好ましくは正三角形であり、その二つの補助面１２０及び１３０並びに第一前端１１０は、同一の幅を有する。
【００５６】
しかしながら、変形例として、図６において明らかなように、二つの補助面１２０及び１３０は異なる幅を有してもよい（各棒の直線区分はその全長にわたって一定のままであり、全ての棒は同一の断面である）。
【００５７】
二つの補助面１２０及び１３０は、図２乃至図６に示されるように、好ましくは平坦である。
【００５８】
しかし、それは図７に示されるように凹状に湾曲していてもよく、又は図８に示されるように凸状に湾曲していてもよい。
【００５９】
偏向フィン２００は、例えば溶接によって、各棒１００の主要面１１０の基部１１４にそれぞれ取り付けられている。
【００６０】
フィン２００は、比較的硬く、好ましくは金属で形成され、非常に好ましくは鋼鉄で作られている。
【００６１】
フィン２００は互いに平行である。フィン２００の直線区分は、その全長にわたって一定である。すべてのフィン２００は、好ましくは同一の直線区分を有する。
【００６２】
図２において明らかなように、フィン２００は、好ましくは、一定の幅Ｌの平坦な金属製の羽根で形成されており、従って静止状態において、真っ直ぐな直線状の断面を有する。
【００６３】
フィン２００は、主要面１１０と比較して外側に傾けられている。他の言い方では、各フィン２００は、それが取り付けられている前端１１０の垂直面から、上述の関連する前端１１０上の連結部１１４のその端から離れて動くことによって又はその自由端２１０に向かって動くことによって、離れる。フィン２００の傾き及び高さは、フィン２００の自由端２１０が、下にある棒１００の主要面１１０の上端１１２と少なくとも同じ水平線上であるようなものである。必要であれば、各フィン２００は、水平方向の射影に従って、下にある棒１００の主要面１１０にまたがってもよい。
【００６４】
したがって、フィン２００は偏向器を形成し、棒１００からの主要面１１０の下端１１４と下にある棒２００からの主要面１１０の上端１１２とを分離する距離ｈ１＝（ｄ−ｈ２）より大きな固有の高さ（又は幅）Ｌを有する。
【００６５】
各主要面１１０の垂直高さｈ２と、二つの隣接する棒１００の間に規定される間隔の垂直高さｈ１＝（ｄ−ｈ２）との間の比率は、好ましくは０．５と２の間、好ましくは約１から±１０％まで程度である。この構成に起因して、棒１００のその区分は、それ自体が不利な負荷損失を生じさせることなく、過大圧力波に対して最大の反射面を提供する。
【００６６】
先に指摘されたように、また図１４乃至図１６において明らかなように、棒１００は、換気システムの大きさに寸法が適合させられたフレーム３００の支柱３１０に固定されてもよい。図１４乃至図１６において、フレーム３００の上側横梁は３２０と参照符号を付けられ、下側横梁が３３０と参照符号を付けられている。
【００６７】
水平面に対する補助面１２０及び１３０の傾きαは、好ましくは４０°よりも小さく、好ましくは３０°よりも小さく、非常に有利には２５°よりも小さい。
【００６８】
この傾きは、負荷損失を制限するように、２．５ｍ／ｓの従来の寸法の流速について、内側から外側への空気の引き込みの間の通常の動作として流体の流れを促進するように計算されている。
【００６９】
棒１００の間の距離ｈ１はまた、それが投射物の進入を防止し、霜による遮断の危険性を制限するように計算される。
【００７０】
二つの隣接する棒１００を分離する距離ｈ１は、好ましくは９０ｍｍよりも小さいか又は等しい。
【００７１】
非常に有利には、二つの隣接する棒１００を分離する距離ｈ１は、５０ｍｍと８５ｍｍとの間であり、非常に有利には６０ｍｍと８０ｍｍとの間である。
【００７２】
また、各棒１００の主要面１１０の高さｈ２は、好ましくは７０ｍｍよりも大きいか又は等しい。
【００７３】
非常に有利には、各棒１００の主要面１１０の高さｈ２は、７０ｍｍと８５ｍｍとの間であり、非常に有利には６０ｍｍと８０ｍｍとの間である。
【００７４】
それらの向き（角度β）及びそれらの幅（Ｌ）に起因して、各棒１００の基部に、好ましくはそれらの端部でフレーム支持部３００に固定されたフィン又は通気孔（vantelles）２００は、雨による侵入に対抗し、通常の動作として引き起こされる追加的な負荷損失を制限する。
【００７５】
各フィン２００と水平面Ｈとの間の傾きβは、５０°よりも小さく、好ましくは４５°よりも小さく、非常に有利には３０°よりも小さい。
【００７６】
本発明によれば、棒１００上のその連結端とその自由端２１０との間とみなされる（consideree）各フィン２００の幅Ｌ、各フィン２００と水平面との間の傾きβ、二つの隣接する棒１００の二つの補助面１２０，１３０の間の内側の収束点１１６を分離する距離ｄ、及び棒１００の各主要面１１０の垂直高さｈ２は、（Ｌ  ｘ  ｓｉｎβ）＞＝（ｄ−ｈ２）の関係に従う（respectent）。
【００７７】
鋼鉄で作られたフィン２００の厚さは、爆発及び竜巻波における変動に対して抵抗力があるような寸法とされ、典型的には少なくとも０．８ｍｍと等しい。
【００７８】
本発明の第一の実施形態によれば、フィン２００の少なくともいくつか、好ましくは全てのフィン２００は、固定された連結部によって関連する棒１００の基部１１４に接続されている。
【００７９】
しかしながら本発明の第二の実施形態によれば、フィン２００の少なくともいくつか、好ましくは全てのフィン２００は、関節型の連結部によって関連する棒１００の基部１１４に接続されてもよい。
【００８０】
この後者の場合において、棒１００の基部１１４との連結部の領域において、通気孔又はフィン２００は、バネを形成する復帰装置を備えてもよい。その復帰装置は、実質的な過大圧力の場合には、通気孔又はフィン２００が経路１４０の開口部上に折り畳まれて経路１４０を遮断することを可能にし、過大圧力に対する保護を更に強化しながら、フィン２００とそれに関連する棒１００との間の、許容される回転の自由度をそれぞれ可能にするように適合させられてもよい。上記のバネは、ひとたび過大圧力が終わると、通気孔又はフィン２００の初期位置への復帰を確かにする。
【００８１】
フィン２００の自由端２１０が、下にある棒１００の自由端１１２と同じ水平レベルに、又はこの自由端１１２を超えて配置されるとき、フィン２００の高さＬは、二つの隣接する棒１００の間の間隔ｈ１より大きい。そのため、過大圧力の場合に、変形又は関節動作によって、フィン２００の下端２１０が下にある棒２００上にもたれた状態で（prenant  appui）、フィン２００は棒１００の間の経路１４０を閉じることができる。
【００８２】
上記の特徴の組み合わせのために、本発明による耐候性グリルは、多くの攻撃（ＰＧＥＷ又は≪極値風によって生み出される投射物（Projectiles  Generated  by  Extreme  Wind）≫、竜巻、外部の爆発、氷）に対する受け流しをカバーし（couvrir）、最適化するように適合されている。それはまた、建物の内側の換気システム及び設備を保護する。
【００８３】
特に、本発明による耐候性グリルは：
‐竜巻の場合に投射される投射物及び極値風によって生み出される投射物（ＰＧＥＷ）を有効に止める。
‐建築物の内側の換気ネットワーク（ダクト、換気装置、フラップ）を損傷させないように、竜巻及び外部爆発によって発生する圧力の急激な変動を有効に弱める。
‐（負荷回復ファンを設置するか又は設置されたファンの特性を変更する必要がないように、）それらが設置されている換気ネットワークに実質的な負荷損失を発生させない。
‐従来の換気グリル（雨防護及び防鳥）の機能を果たし、以前のグリルを交換するための本発明によるグリルの設置を実行することができる。
‐氷結の問題を考慮している。
【００８４】
本発明による耐候性グリルを最適化するために、本発明者らは、以下の基準パラメータに基づいて、グリルの主な特性の各々について一連のパラメトリックスタディを行った：
‐通常の動作としての空気速度：２．５ｍ／ｓ、
‐水平面に対する補助面１２０及び１３０の傾きα：２５°、
‐棒の三角形の断面の前端１１０の幾何学形状：直線、
‐二つの隣接する棒１００の間の間隔ｈ１：８０ｍｍ。
【００８５】
通常の動作としてのパラメータ≪空気速度≫は、上記の基準グリルに基づいて検討されている。
【００８６】
空気速度（ｍ／ｓ）の関数としての負荷損失（Ｐａ）に関して得られた結果は、図９に示される。
【００８７】
この図９の試験は、空気速度が増大するときの負荷損失における急な上昇を明らかにする。しかしながら、本発明によるグリルの負荷損失（寸法１０００ｘ１０００ｍｍのグリルについて、２．５ｍ／ｓに対して約５０Ｐａ）は、比較的低い。比較のために、古典的な雨防護グリルは２．５ｍ／ｓに対して３０Ｐａ程度の負荷損失を示し、防突風フラップは、２００Ｐａ程度から最大で３５０Ｐａまでの負荷損失を示し、そのため、古典的な組み合わせは、本発明によるグリルよりも少なくとも４倍高い負荷損失を示す。
【００８８】
外部の爆発のシミュレーションの間に、入射角αの関数として、グリルの後、すなわちグリルの内側で測定される残留圧力に関して得られた結果は、三角形の断面の入射角を最適化するため、図１０に示される。
【００８９】
これらの結果は、それが爆発の波を１０で割るので、先に定義されたパラメータに応答する基準グリルが、爆発に対して、従って竜巻に対して有効であることを示す。
【００９０】
グリル下流の１０００Ｐａの残留圧力の値は、たとえＨＶＡＣネットワークのファンによって生成された圧力が加えられたとしても（概して５００Ｐａ）、ＨＶＡＣ設備の挙動（２０００Ｐａ）の従来の値よりもはるかに低い。
【００９１】
角度αの値の影響力は、爆発波を≪壊す≫その能力に関して、無視できる（１％よりも小さい）。
【００９２】
逆に、図１１に示されるように、角度αの値は、２５°から通常の条件におけるグリルの負荷損失に対して重要な役割を果たす。角度が小さいほど、流線が乱されることが少ない。
【００９３】
グリルの棒１００の間の間隔ｈ１は、爆発の適用のシミュレーションの間の、間隔の関数としてのグリルの下流の残留圧力を示す図１２に基づいて研究されている。
【００９４】
図１２は、選択されたシミュレーション条件において、爆発に面したグリルの空気力の（aeraulique）挙動が６０ｍｍ間隔ｈ１から一様であることを明らかにする。
【００９５】
図１３は、通常の動作としての基準によるグリルの負荷損失を、棒１００の間の間隔ｈ１の関数として示す。
【００９６】
図１３は、複数の棒１００がより狭められるほど、グリルが爆発（及び従って竜巻）に対してより効果的であるが、局部的なグリルの負荷損失もより大きいことを示している。そのうえに、棒１００は、ＰＧＥＷ投射物及び投射物≪直径１７０ｍｍの鋼鉄管型の竜巻≫を抑えるために、８０ｍｍ未満の間隔で配置されなければならない。
【００９７】
しかしながら、棒の間の距離ｈ１は、氷結による目詰まりの現象に関してグリルの保護を向上させるために可能な限り大きくなければならない。
【００９８】
図９乃至図１３は、各図について、得られたシミュレーションの値の平均値に対応する曲線を実線で示し、可能な値の範囲に対応するこれらの値の上方及び下方の末端の破線で示す。
【００９９】
上記に照らして、本発明者らは、グリルの複数の棒の間の約８０ｍｍの間隔ｈ１が、以下の通りであると考える：
‐爆発に面するグリルのかなりの有効性を保存し、
‐竜巻及びＰＧＶＥの投射物を抑え、
‐霜の現象へのグリルの曝露を制限する。
【０１００】
棒の三角形の断面の前端１１０の幾何学形状の有効性は、図３、図４及び図５に示される外形に関して研究されている。
【０１０１】
実施された関連するシミュレーションは、以下を明らかにした：
‐図３に示されるように平坦な前端１１０について：４９Ｐａの通常の動作としての負荷損失に対して、爆発の影響下での９９０Ｐａのグリルの下流の残留圧力、
‐図４に示されるように４４ｍｍの曲率半径の凸状の前端１１０について：８８Ｐａの通常の動作としての負荷損失に対して、爆発の影響下での９８４Ｐａのグリルの下流の残留圧力、及び
‐図５に示されるように４４ｍｍの曲率半径の凹状の前端１１０について：４２Ｐａの通常の動作としての負荷損失に対して、爆発の影響下での９９８Ｐａのグリルの下流の残留圧力。
【０１０２】
上記の結果は、棒１００の攻撃外形１１０の影響力は、すなわちこの外形が平坦であるか、凸状であるか又は凹状であるかは、爆発（及び従って竜巻）に関して、無視できる（影響力は１％よりも小さい）ことを示す。
【０１０３】
したがって、本発明のグリルは、前端１１０がこれらの幾何学形状、平坦、凸状又は凹状のうちのいずれか一つに応じる、棒１００を有してもよい。
【０１０４】
しかし、爆発及び竜巻によって引き起こされる波に関するせき止め（堰）及び反射に関して非常に満足な結果を与える前端１１０の平坦な幾何学形状は、そのような平坦な前端１１０が製造の簡便さの利点を有する限りにおいて、棒の三角形の外形の断面のために好ましいと考えられ得る。また、フィン又は通気孔２００を移植することは、そのような棒の外形によって容易にされる。
【０１０５】
フィン２００の幾何学的形状も研究されている。
【０１０６】
雨防護機能は、換気グリルの最も基本的な機能の一つである。雨防護フィン２００の最適化された設計は、（たとえ水平な雨であっても）雨が建築物の内側に入ることを防止し、且つまた、二つの棒の間に、典型的には８０ｍｍ程度の、実質的な負荷損失を避けるために十分な水平の間隔を有することの両方を可能にする。
【０１０７】
本発明により提案される構造は、爆発及び竜巻に対抗して雨を下向きに向かわせるように働く棒１００の垂直面１１０から利益を得て、通常の動作としての負荷損失に関する増加のために、雨防護フィンの数を２だけ減少させる。
【０１０８】
シミュレーションはまた、以下の結果も与える。
【０１０９】
【表１】
2018537648.tif 000003
もちろん、本発明は前述の実施形態に限定されるものではなく、その観念に従う任意の変形例を指示する。
【０１１０】
本発明による耐候性グリルは、新しい施設に設置されてもよいが、それはまた既存の換気グリルの代わりに、それを代替するために設置されてもよい。
【０１１１】
本発明による耐候性グリルは、多くの施設に設置されてもよいが、例えば、ただし非限定的に、核エネルギー源からの電気エネルギー生産施設に設置されてもよい。
【０１１２】
本発明による耐候性グリルは、使用位置においてそれが占める垂直又は半垂直の位置を参照して、また図２に示される水平面Ｈ及び垂直面Ｖを参照して、先に記述された。
【０１１３】
グリルの≪外側≫と呼ばれる側は、使用位置を参照して、その外側は、建築物の外側であり、≪第一面≫に対応する。グリルの≪内側≫と呼ばれる側は、使用位置を参照して、その内側は、建築物の内側であり、≪第二面≫に対応する。
【０１１４】
また、以前に指摘されたように、いくつかの移植条件において、建築物のアーキテクチャに従って、グリルの平均面Ｍは移植の間に厳密に垂直ではあり得ない。
【０１１５】
この場合において、図１７に示されるように、棒１００の主要面１１０が互いに同一平面上のままであり、グリルのフレーム３００の平均面Ｍに平行であること、又は、図１８に示されるように、使用するためにこれらの面１１０が垂直のままであるように、棒の主要面１１０がフレーム３００の平均面に対して傾けられており、互いに対して平行なままであるが、ずれて（オフセットされて）いること、のいずれかが提供されてもよい。全ての場合において、フィン２００の幅は、好ましくは、フィンの自由端２１０が、下にある棒１００の主要面１１０の上端１１４と同じ水平線上に少なくとも位置しているか、又は更にこの線の下に位置しているように、適合されている。
【図１】
2018537648.tif 000004
【図２】
2018537648.tif 000005
【図３】
2018537648.tif 000006
【図４】
2018537648.tif 000007
【図５】
2018537648.tif 000008
【図６】
2018537648.tif 000009
【図７】
2018537648.tif 000010
【図８】
2018537648.tif 000011
【図９】
2018537648.tif 000012
【図１０】
2018537648.tif 000013
【図１１】
2018537648.tif 000014
【図１２】
2018537648.tif 000015
【図１３】
2018537648.tif 000016
【図１４】
2018537648.tif 000017
【図１５】
2018537648.tif 000018
【図１６】
2018537648.tif 000019
【図１７】
2018537648.tif 000020
【図１８】
2018537648.tif 000021
【国際調査報告】
2018537648.tif 000022
2018537648.tif 000023
2018537648.tif 000024
2018537648.tif 000025